【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
押圧受部を有する第１挟持部と、
押圧部を有する第２挟持部と、を備え、
前記押圧受部と前記押圧部の少なくとも一方が、金属を含み、
前記第２挟持部が、前記第１挟持部若しくは前記第１挟持部を保持するハウジングに固定された時に、前記押圧受部の一方の端部側から挿入された線状導体が、前記押圧部と前記押圧受部とで挟み込まれ、前記押圧部及び前記押圧受部に接触し、前記一方の端部と前記押圧部との間で曲げられ、
前記第１挟持部は、前記一方の端部側に挿入口側凸領域を有し、
前記挿入口側凸領域は、前記線状導体の延伸方向に垂直な方向に向かって延び、
前記挿入口側凸領域の前記線状導体と接触する領域は、前記線状導体を前記押圧受部側から覆う第１の切り欠きを有する、コネクタ。
【請求項２】
前記第１挟持部は、前記一方の端部側に挿入口側凸領域を有し、前記押圧受部の他方の端部側に背面側凸領域を有し、
前記挿入口側凸領域及び前記背面側凸領域は、前記線状導体に向かって延び、
前記押圧受部の前記線状導体と接触する領域は、前記挿入口側凸領域と前記背面側凸領域との間に位置し、
前記第２挟持部が前記第１挟持部若しくは前記ハウジングに固定された時に、前記線状導体が、
前記挿入口側凸領域と前記背面側凸領域と接触した状態で、前記挿入口側凸領域と前記押圧部との間、及び前記背面側凸領域と前記押圧部との間で曲げられ、
前記挿入口側凸領域の前記線状導体と接触する領域の前記押圧受け部からの突出量が、前記背面側凸領域の前記線状導体と接触する領域の前記押圧受部からの突出量よりも少ない、請求項１に記載のコネクタ。
【請求項３】
押圧受け部を有する第１挟持部と、
押圧部を有する第２挟持部と、
前記第１挟持部を保持するハウジングと、を備え、
前記第２挟持部は、前記ハウジングと前記押圧部を覆うカバーを有し、
前記押圧受け部と前記押圧部の少なくとも一方が、金属を含み、
前記第２挟持部が、前記ハウジングに固定された時に、前記押圧受け部の一方の端部側から挿入された線状導体が、前記押圧部と前記押圧受け部とで挟み込まれ、前記押圧部及び前記押圧受部に接触し、前記一方の端部と前記押圧部との間で曲げられ、
前記カバーが前記ハウジングと前記押圧部を覆うことにより、前記押圧部が前記押圧受け部との間で前記線状導体を挟み込み、
前記カバーが前記ハウジングと前記押圧部を覆うことにより、前記第１挟持部と前記第２挟持部との固定が行われる、コネクタ。
【請求項４】
前記押圧受部と前記挿入口側凸領域と前記背面側凸領域は、金属を含み、
前記第２挟持部が前記第１挟持部若しくは前記ハウジングに固定された時に、前記線状導体は、前記押圧受部と前記挿入口側凸領域と前記背面側凸領域で接触する、請求項２に記載のコネクタ。
【請求項５】
前記線状導体は撚線で構成され、
前記押圧部の前記線状導体と接触する領域の前記一方の端部側から見た断面は、前記線状導体の側部の少なくとも一部を覆う形状を有し、
前記第２挟持部が前記第１挟持部若しくは前記ハウジングに固定された時に、前記押圧部の前記線状導体と接触する領域で、前記押圧受部と最も離れた部分と前記押圧受部との距離は、前記線状導体の径よりも短い、請求項１〜４のいずれかに記載のコネクタ。
【請求項６】
前記線状導体は撚線で構成され、
前記押圧受部の前記線状導体と接触する領域の前記一方の端部側から見た断面は、前記線状導体の側部の少なくとも一部を覆う形状を有し、
前記第２挟持部が前記第１挟持部若しくは前記ハウジングに固定された時に、前記押圧受部の前記線状導体と接触する領域で、前記押圧部と最も離れた部分と前記押圧部との距離は、前記線状導体の径よりも短い、請求項１〜４のいずれかに記載のコネクタ。
【請求項７】
前記線状導体は撚線で構成され、
前記第２挟持部が前記第１挟持部若しくは前記ハウジングに固定された時に、前記押圧部と前記押圧受部とで囲まれた領域の前記一方の端部側から見た断面は、前記線状導体を構成する複数の撚線の前記一方の端部側から見た断面積以上の断面積を有する、請求項１〜４のいずれかに記載のコネクタ。
【請求項８】
前記第２挟持部は、前記ハウジングと前記押圧部を覆うカバーを有し、
前記第２挟持部が、前記ハウジングに固定された時に、前記押圧受け部の一方の端部側から挿入された線状導体が、前記押圧部と前記押圧受け部とで挟み込まれ、前記押圧部及び前記押圧受部に接触し、前記一方の端部と前記押圧部との間で曲げられ、
前記カバーが前記ハウジングと前記押圧部を覆うことにより、前記押圧部が前記押圧受け部との間で前記線状導体を挟み込み、
前記カバーが前記ハウジングと前記押圧部を覆うことにより、前記第１挟持部と前記第２挟持部との固定が行われる、請求項１に記載のコネクタ。
【請求項９】
前記第１挟持部は、第１側部を有し、
前記第１側部は、前記第２挟持部を回転可能な状態で保持する、請求項１、２、４〜７のいずれかに記載のコネクタ。
【請求項１０】
前記第２挟持部の前記第１挟持部若しくは前記ハウジングへの固定は掛け止めであり、
前記第１挟持部は、前記第１側部よりも前記一方の端部に近い側に第２側部を有し、
前記第２側部は、前記第２挟持部を掛け止めするための凸部若しくは凹部を有する、請求項９に記載のコネクタ。
【請求項１１】
前記第２挟持部が前記第１挟持部若しくは前記ハウジングに固定された時に、前記第２挟持部は、前記一方の端部に近い側と前記第１側部とを覆い、前記一方の端部に近い側と反対側及び前記第２側部を覆わない、請求項１０に記載のコネクタ。
【請求項１２】
前記押圧受部は、基板に固定される、請求項９に記載のコネクタ。
【請求項１３】
前記第２挟持部が前記第１挟持部若しくは前記ハウジングに固定された時に、前記線状導体の中心軸が、前記一方の端部と前記押圧部の間でＳ字状若しくはクランク状に曲げられる、請求項１〜１２のいずれかに記載のコネクタ。
【請求項１４】
前記線状導体は、取り外し可能である、請求項１〜１３のいずれかに記載のコネクタ。
【請求項１５】
前記第１挟持部は、前記一方の端部側に挿入口側凸領域を有し、前記押圧受部の他方の端部側に背面側凸領域を有し、
前記挿入口側凸領域の前記線状導体と接触する領域の前記押圧受部からの突出量が、前記背面側凸領域の前記線状導体と接触する領域の前記押圧受部からの突出量よりも少ない、請求項１に記載のコネクタ。
【請求項１６】
前記第１挟持部は、前記一方の端部側に挿入口側凸領域を有し、前記押圧受部の他方の端部側に背面側凸領域を有し、
前記第２挟持部が前記第１挟持部若しくは前記ハウジングに固定された時に、前記線状導体は、前記押圧受部と前記挿入口側凸領域と前記背面側凸領域で接触する、請求項１に記載のコネクタ。
【請求項１７】
前記第１挟持部は、前記一方の端部側に挿入口側凸領域を有し、前記押圧受部の他方の端部側に背面側凸領域を有し、
前記挿入口側凸領域の前記線状導体と接触する領域の前記押圧受部からの突出量が、前記背面側凸領域の前記線状導体と接触する領域の前記押圧受部からの突出量よりも少なく、
前記第２挟持部が前記第１挟持部若しくは前記ハウジングに固定された時に、前記線状導体は、前記押圧受部と前記挿入口側凸領域と前記背面側凸領域で接触する、請求項１に記載のコネクタ。
【請求項１８】
前記第２挟持部と前記第１挟持部との間であって、前記導体の挿入方向の一方の端部側と他方の端部側とに開口が設けられ、
前記第２挟持部が前記第１挟持部若しくは前記ハウジングに固定された時に、前記他方の端部側の前記開口から、前記線状導体の先端部が突出する、請求項１に記載のコネクタ。
【請求項１９】
前記第２挟持部には、第２の切り欠きが設けられ、
前記第２挟持部が前記第１挟持部若しくは前記ハウジングに固定された時に、前記第２の切り欠きは、前記挿入口側凸領域と対向する位置に、前記線状導体を前記押圧受部側と反対の前記押圧部側から覆う、請求項１〜１８のいずれかに記載のコネクタ。